(57)【要約】【課題】軽量化を図りながら、原稿搬送性能が低下するのを抑制することが可能な原稿搬送装置を提供する。【解決手段】この原稿搬送装置２７は、原稿を案内するＵ字状の断面の搬送面を有する内側搬送ガイド部材６０と、搬送面の内周側に配置され、原稿を搬送する搬送ローラー３８、４１、４４、４７と、搬送ローラー３８、４１、４４、４７を内周側に押圧するプーリー３９、４２、４５、４８と、原稿通過領域の原稿幅方向の内側に配置され、搬送ローラー３８、４１、４４、４７の回転軸３８ａ、４１ａ、４４ａ、４７ａの一方端部を軸支する軸受部材５０と、を備える。プーリー３９、４２、４５、４８は、搬送ローラー３８、４１を下向きに押圧するプーリー３９、４２と、搬送ローラー４４、４７を上向きに押圧するプーリー４５、４８と、を含む。【選択図】図５
2016003130.tif 000002
【特許請求の範囲】
【請求項１】
原稿搬送方向に沿った断面がＵ字状の搬送面を有し、原稿を案内する搬送ガイド部材と、
前記搬送面の内周側に配置され、前記原稿を搬送する複数の搬送ローラーと、
前記搬送ローラーを前記内周側に押圧するとともに、前記搬送ローラーの回転にともなって従動回転する複数のプーリーと、
原稿通過領域の原稿幅方向の内側に配置され、前記複数の搬送ローラーの回転軸の一方端部を軸支する軸受部材と、
を備え、
前記複数のプーリーは、前記搬送ローラーを下向きに押圧する第１プーリーと、前記搬送ローラーを上向きに押圧する第２プーリーと、を含むことを特徴とする原稿搬送装置。
【請求項２】
前記搬送ガイド部材には、前記軸受部材に当接して、前記プーリーから前記搬送ローラーを介して前記軸受部材にかかる水平方向の力を受ける支持面を有する支持部が設けられており、
前記支持面は、前記搬送面に対して交差するように配置されていることを特徴とする請求項１に記載の原稿搬送装置。
【請求項３】
前記搬送ローラーは、前記回転軸と、互いに所定の間隔を隔てて前記回転軸に固定される複数のローラー体と、を有し、
前記搬送ローラーの回転軸の前記一方端部は、前記原稿通過領域の前記原稿幅方向の内側に配置され、
前記搬送ローラーの回転軸の他方端部は、前記原稿通過領域の前記原稿幅方向の外側に配置され、
前記複数のローラー体は、前記回転軸の軸方向に対し前記一方端部寄りに配置されており、
前記一方端部の軸心は、前記原稿幅方向から見て、前記他方端部の軸心から、前記プーリーの前記搬送ローラーに対する押圧方向に移動した位置に配置されていることを特徴とする請求項１または２に記載の原稿搬送装置。
【請求項４】
請求項１〜３のいずれか１項に記載の原稿搬送装置を備えることを特徴とする画像形成装置。
【発明の詳細な説明】
【技術分野】
【０００１】
本発明は、原稿搬送装置及びそれを備えた画像形成装置に関し、特に、原稿を案内する搬送面を有する搬送ガイド部材と、原稿を搬送する複数の搬送ローラーと、を含む原稿搬送装置及びそれを備えた画像形成装置に関する。
【背景技術】
【０００２】
複写機やファクシミリ、スキャナーなどの画像形成装置には、複数枚の原稿を自動的に原稿読取部へと送り出す原稿搬送装置を備えているものがある。原稿搬送装置は、原稿載置トレイに積み上げられた原稿束の最上層から原稿を１枚ずつ分離し、原稿読取部に向かって送り出す。原稿は、原稿読取部でその表面の画像を読み取られた後、原稿搬送路の最下流に設けられた原稿排出トレイに排出される。通常、原稿搬送装置は画像形成装置本体の上部に搭載され、画像形成装置本体上面に対して開放、閉鎖するようにユーザーが原稿搬送装置全体を操作できるようになっている。したがって、原稿搬送装置は一般的に画像形成装置本体と比べて小型であり、よりコンパクトに構成する要求も高い。
【０００３】
原稿搬送装置は、そのコンパクト化を図るため、原稿載置トレイから原稿読取部を経て原稿排出トレイまで、原稿搬送路が湾曲している場合が多い。そして、原稿搬送路は、原稿を案内する搬送面を有する搬送ガイド部材と、原稿を搬送する複数の搬送ローラーとを備えている。搬送ローラーの回転軸は、原稿通過領域よりも原稿幅方向に長く形成されており、原稿通過領域の外側に配置された軸受部材によって軸支される。そして、原稿は、搬送ローラーと、搬送ローラーを押圧して従動回転するプーリーと、によってニップされて搬送される。このような原稿搬送装置では、搬送ローラーの回転軸を原稿通過領域よりも長く形成する必要があるので、原稿搬送装置を軽量化するのが困難である。
【０００４】
そこで、搬送ローラーの回転軸を原稿通過領域よりも短く形成し、回転軸の一方端部を原稿通過領域の原稿幅方向の内側に配置し、他方端部を原稿通過領域の外側に配置した原稿搬送装置が提案されている（例えば特許文献１参照）。この原稿搬送装置では、回転軸の一方端部は、搬送ガイド部材の搬送面に形成された軸受部によって支持される。
【先行技術文献】
【特許文献】
【０００５】
【特許文献１】特開平０６−２９８３９６号公報
【発明の概要】
【発明が解決しようとする課題】
【０００６】
しかしながら、搬送ガイド部材の搬送面に形成した軸受部によって搬送ローラーの回転軸を支持する構造では、搬送ローラーがプーリーによって押圧されると、搬送面が撓むので原稿搬送性能が低下する場合があるという問題点がある。
【０００７】
本発明は、上記のような課題を解決するためになされたものであり、本発明の目的は、軽量化を図りながら、原稿搬送性能が低下するのを抑制することが可能な原稿搬送装置及びそれを備えた画像形成装置を提供することである。
【課題を解決するための手段】
【０００８】
上記目的を達成するために、本発明の原稿搬送装置は、原稿搬送方向に沿った断面がＵ字状の搬送面を有し、原稿を案内する搬送ガイド部材と、搬送面の内周側に配置され、原稿を搬送する複数の搬送ローラーと、搬送ローラーを内周側に押圧するとともに、搬送ローラーの回転にともなって従動回転する複数のプーリーと、原稿通過領域の原稿幅方向の内側に配置され、複数の搬送ローラーの回転軸の一方端部を軸支する軸受部材と、を備え、複数のプーリーは、搬送ローラーを下向きに押圧する第１プーリーと、搬送ローラーを上向きに押圧する第２プーリーと、を含む。
【発明の効果】
【０００９】
本発明によれば、複数のプーリーは、搬送ローラーを下向きに押圧する第１プーリーと、搬送ローラーを上向きに押圧する第２プーリーと、を含む。これにより、軸受部材には、第１プーリーから搬送ローラーを介して下向きの力が加わり、第２プーリーから搬送ローラーを介して上向きの力が加わる。そのため、搬送ローラーを介して軸受部材にかかる力の上下方向の合力を小さくすることができるので、軸受部材から搬送ガイド部材の搬送面にかかる力を小さくすることができる。このため、搬送面が撓むのを抑制することができるので、原稿搬送性能が低下するのを抑制することができる。
【００１０】
また、複数の搬送ローラーの回転軸の一方端部は、原稿通過領域の原稿幅方向の内側に配置される軸受部材によって支持される。これにより、搬送ローラーの回転軸を原稿通過領域よりも短く形成することができるとともに、原稿搬送装置を軽量化することができる。
【図面の簡単な説明】
【００１１】
【図１】本発明の一実施形態の原稿搬送装置を備えた画像形成装置の構造を概略的に示した断面図である。
【図２】本発明の一実施形態の原稿搬送装置の構造を示した斜視図である。
【図３】本発明の一実施形態の原稿搬送装置の構造を示した断面図である。
【図４】本発明の一実施形態の原稿搬送装置の搬送ローラーおよびプーリーの構造を説明するための斜視図である。
【図５】本発明の一実施形態の原稿搬送装置の搬送ローラーおよびプーリーの構造を説明するための斜視図である。
【図６】本発明の一実施形態の原稿搬送装置の搬送ローラーおよびプーリーの構造を説明するための断面図である。
【図７】本発明の一実施形態の原稿搬送装置の軸受部材５０にかかる力を説明するための図である。
【図８】本発明の一実施形態の原稿搬送装置の搬送ローラーおよびプーリーの構造を説明するための断面図である。
【図９】本発明の一実施形態の原稿搬送装置の搬送ローラーの回転軸の一方端部と他方端部との位置関係を説明するための図である。
【図１０】本発明の一実施形態の原稿搬送装置の搬送ローラーの回転軸の一方端部と他方端部との位置関係を説明するための図である。
【図１１】本発明の変形例の原稿搬送装置の軸受部材を説明するための図である。
【発明を実施するための形態】
【００１２】
以下、本発明の実施形態について図面を参照して説明する。
【００１３】
図１〜図１０を参照して、本発明の一実施形態による原稿搬送装置２７を備えた画像形成装置１００の構造について説明する。図１において、画像形成装置１００（ここでは一例としてデジタル複合機を示す）では、コピー動作を行う場合、後述する画像読取装置６において原稿の画像データを読み取り画像信号に変換する。一方、複合機本体２内の画像形成部３において、帯電ユニット４により図中時計回り方向に回転する感光体ドラム５が一様に帯電され、画像読取装置６で読み取られた原稿画像データに基づく露光ユニット（レーザー走査ユニット等）７からのレーザービームにより感光体ドラム５上に静電潜像が形成され、現像ユニット８により静電潜像に現像剤（以下、トナーという）が付着されてトナー像が形成される。この現像ユニット８へのトナーの供給はトナーコンテナ９から行われる。
【００１４】
上記のようにトナー像が形成された感光体ドラム５に向けて、用紙が給紙機構１０から用紙搬送路１１及びレジストローラー対１２を経由して画像形成部３に搬送され、この画像形成部３において転写ローラー１３（画像転写部）により感光体ドラム５の表面におけるトナー像が用紙に転写される。そして、トナー像が転写された用紙は感光体ドラム５から分離され、定着ローラー対１４ａを有する定着部１４に搬送されてトナー像が定着される。定着部１４を通過した用紙は、複数方向に分岐した用紙搬送路１５に送られて、用紙搬送路１５の分岐点に設けられた複数の経路切換ガイドを有する経路切換機構２１、２２によって用紙の搬送方向が振り分けられ、そのまま（或いは、用紙搬送路１６に送られて両面コピーされた後に）排出ローラー対２０ａ又は排出ローラー対２０ｂを介して、第１排出トレイ１７ａ、第２排出トレイ１７ｂから成る用紙排出部に排出される。
【００１５】
また、図示しないが、感光体ドラム５の表面の残留電荷を除去する除電装置がクリーニング装置１８の下流側に設けられている。さらに、給紙機構１０は、複合機本体２に着脱自在に取り付けられ、用紙を収納する複数の給紙カセット１０ａ、１０ｂと、その上方に設けられるスタックバイパス（手差しトレイ）１０ｃと、を備えてなり、これらは用紙搬送路１１によって感光体ドラム５及び現像ユニット８等からなる画像形成部３に繋がっている。
【００１６】
複合機本体２の上部には、画像読取装置６が配置されており、複合機本体２の上面には画像読取装置６のコンタクトガラス（図示せず）上に載置される原稿を押さえて保持するプラテン（原稿押さえ）２４が開閉可能に設けられており、プラテン２４上には画像読取装置６の原稿読取部（図示せず）に原稿を自動搬送する原稿搬送装置２７が付設されている。
【００１７】
用紙搬送路１５は、具体的には、定着ローラー対１４ａの下流側において、まず左右二股に分岐し、一方の経路（図１では右方向に分岐する経路）は第１排出トレイ１７ａに連通するように構成されている。そして、他方の経路（図１では左方向に分岐する経路）は搬送ローラー対１９を経由して二股に分岐し、一方の経路（図１では左方向に分岐する経路）は第２排出トレイ１７ｂに連通するように構成されている。これに対し、他方の経路（図１では下方向に分岐する経路）は用紙搬送路１６に連通するように構成されている。
【００１８】
図２および図３に示すように、原稿搬送装置２７のカバー部材３１内には、原稿給紙トレイ２９から原稿排出トレイ３２に至る原稿搬送路ｄが形成されており、原稿搬送路ｄに沿ってピックアップローラー３３、給紙ローラー３４及び分離板３５、搬送ローラー対３７、４０、４３、及び排出ローラー対４６から成る原稿搬送部材が設けられている。
【００１９】
なお、原稿搬送路ｄは給紙ローラー３４から排出ローラー対４６に至る間において反転するように略Ｕ字状に湾曲している。また、原稿搬送路ｄには、原稿の存否或いは通過を検知するための給紙センサー、排出センサーを含む複数の用紙検知センサーが適所に設けられている。
【００２０】
次に、原稿搬送装置２７を用いたシートスルー方式の原稿搬送動作について説明する。シートスルー方式においては、原稿給紙トレイ２９に画像面を上向きにして複数枚の原稿をセットした後、画像形成装置１００の操作パネル３０（図１参照）のコピー開始ボタンがオンされると、昇降機構（図示せず）により上昇したリフト板２８が原稿を介してピックアップローラー３３を押し上げ、ピックアップローラー３３を含む枠体（図示せず）の重さがリフト板２８に加わることにより、原稿の上面が所定の圧力（給紙圧）でピックアップローラー３３に押しつけられる。
【００２１】
原稿給紙トレイ２９にセットされた原稿は、ピックアップローラー３３によって通常上段の複数枚が給紙ローラー３４と分離板３５のニップ部に送られる。そして、複数枚の原稿のうち分離板３５により最上の１枚のみが分離されて搬送ローラー対３７に向けて搬送される。
【００２２】
原稿は、搬送ローラー対３７、４０、４３により、コンタクトガラスの自動読取用ガラス（図示せず）を経て排出ローラー対４６に向けて搬送された後、最終的には排出ローラー対４６によって原稿排出トレイ３２上に排出される。その際、排出センサー（図示せず）により原稿の後端通過を検知したことによって、原稿１枚の画像読み取りの完了を検出するようになっている。
【００２３】
なお、原稿は、自動読取用ガラス（図示せず）を通過する際に、画像が自動読取用ガラス（図示せず）を通じて画像読取装置６の原稿読取部（図示せず）により読み取られるようになっている。
【００２４】
次に、原稿搬送装置２７の構造について詳細に説明する。
【００２５】
原稿搬送路ｄは図３に示すように、原稿搬送方向に沿った断面が略Ｕ字状の搬送面を有し、原稿を案内する内側搬送ガイド部材６０および外側搬送ガイド部材６１によって構成されている。
【００２６】
ピックアップローラー３３は図４に示すように、回転軸３３ａと、回転軸３３ａに固定される１つのローラー体３３ｂと、を有する。回転軸３３ａは、ローラー体３３ｂよりも少しだけ長く形成されており、原稿が通過する原稿通過領域の原稿幅方向の内側に配置されている。
【００２７】
給紙ローラー３４は、回転軸３４ａと、回転軸３４ａに固定される１つのローラー体３４ｂ（図６参照）と、を有する。回転軸３４ａは、原稿通過領域よりも原稿幅方向に長く形成されており、その一方端部および他方端部は、内側搬送ガイド部材６０および外側搬送ガイド部材６１の原稿幅方向の外側に配置され筐体を構成する軸受部材５２、５３により回転可能に軸支されている。また、回転軸３４ａの他方端部には、駆動ギア５４が取り付けられており、駆動モーター４９からの駆動力が複数の伝達ギアやクラッチ等を介して伝達される。
【００２８】
また、回転軸３４ａの中央部分には、ピックアップローラー３３を回転可能に軸支する保持部材３６が設けられている。この保持部材３６は、給紙ローラー３４の回転軸３４ａを中心として回動可能である。なお、ピックアップローラー３３には、保持部材３６の内部に配置される中間ギアやベルト等を介して、給紙ローラー３４から駆動力が伝達される。
【００２９】
図３に示すように、搬送ローラー対３７、４０、４３、及び排出ローラー対４６は、内側搬送ガイド部材６０の搬送面の内周側に配置される搬送ローラー３８、４１、４４、４７と、外側搬送ガイド部材６１の搬送面の外側に配置されるプーリー３９、４２、４５、４８と、を含んでいる。プーリー３９、４２、４５、４８は、搬送ローラー３８、４１、４４、４７を内側搬送ガイド部材６０の内周側に押圧するとともに、搬送ローラー３８、４１、４４、４７の回転にともなって従動回転する。なお、プーリー３９、４２は、本発明の「第１プーリー」の一例であり、プーリー４５、４８は、本発明の「第２プーリー」の一例である。
【００３０】
図５および図６に示すように、搬送ローラー３８、４１、４４、４７は、回転軸３８ａ、４１ａ、４４ａ、４７ａと、互いに所定の間隔を隔てて回転軸３８ａ、４１ａ、４４ａ、４７ａに固定される複数（ここでは２つ）のローラー体３８ｂ、４１ｂ、４４ｂ、４７ｂと、を有する。回転軸３８ａ、４１ａ、４４ａ、４７ａは、原稿通過領域の原稿幅方向よりも短く形成されており、その一方端部は、原稿通過領域の原稿幅方向の内側に配置され、他方端部は、原稿通過領域の原稿幅方向の外側に配置されている。
【００３１】
回転軸３８ａ、４１ａ、４４ａ、４７ａの他方端部は、軸受部材５３（図４参照）により回転可能に軸支されている。また、回転軸３８ａ、４１ａ、４４ａ、４７ａの他方端部には、駆動ギア５５、５６、５７、５８が取り付けられており、駆動モーター４９からの駆動力が複数の伝達ギアやクラッチ等を介して伝達される。
【００３２】
一方、回転軸３８ａ、４１ａ、４４ａ、４７ａの一方端部は、原稿通過領域の原稿幅方向の内側に配置された軸受部材５０により回転可能に軸支されている。軸受部材５０は、樹脂製であるとともに、上下方向および原稿搬送方向に延びる板状に形成されている。なお、軸受部材５０は、内側搬送ガイド部材６０の内周面に配置されている。
【００３３】
複数のローラー体３８ｂ、４１ｂ、４４ｂ、４７ｂは、回転軸３８ａ、４１ａ、４４ａ、４７ａの軸方向に対して一方端部寄りに配置される。なお、複数のローラー体３８ｂ、４１ｂ、４４ｂ、４７ｂは、原稿通過領域の原稿幅方向の中心に関して線対称に配置されている。
【００３４】
プーリー３９、４２、４５、４８は、回転軸３９ａ、４２ａ、４５ａ、４８ａと、互いに所定の間隔を隔てて回転軸３９ａ、４２ａ、４５ａ、４８ａに固定される複数（ここでは２つ）のローラー体３９ｂ、４２ｂ、４５ｂ、４８ｂと、を有する。回転軸３９ａ、４２ａ、４５ａ、４８ａは、搬送ローラー３８、４１、４４、４７の回転軸３８ａ、４１ａ、４４ａ、４７ａよりも短く形成されており、その一方端部および他方端部は、原稿通過領域の原稿幅方向の内側に配置されている。
【００３５】
また、回転軸３９ａ、４２ａ、４５ａ、４８ａは、圧縮コイルバネ等の付勢部材５１によって搬送ローラー３８、４１、４４、４７側に押圧されている。これにより、搬送ローラー３８、４１、４４、４７が内側搬送ガイド部材６０の搬送面の内周側に押圧されている。
【００３６】
具体的には図７に示すように、搬送ローラー３８、４１には、プーリー３９、４２により下向きの力がかかっており、搬送ローラー４４、４７には、プーリー４５、４８により上向きの力がかかっている。このため、軸受部材５０には、搬送ローラー３８、４１により下向きの力がかかり、搬送ローラー４４、４７により上向きの力がかかるので、軸受部材５０の上部に搬送ローラー３８、４１からかかる下向きの力と、軸受部材５０の下部に搬送ローラー４４、４７からかかる上向きの力と、が弱め合う。
【００３７】
本実施形態では、搬送ローラー３８、４１、４４、４７から軸受部材５０にかかる力の上下方向の合力は、搬送ローラー３８、４１から軸受部材５０に下向きにかかる力の合力の半分以下の大きさになっている。なお、プーリー４５、４８を上向きに付勢する付勢部材５１のバネ定数を、プーリー３９、４２を下向きに付勢する付勢部材５１のバネ定数よりも大きくすれば、軸受部材５０にかかる力の上下方向の合力を略ゼロにすることも可能である。
【００３８】
また、搬送ローラー４１、４４には、プーリー４２、４５により右向きの力がかかっており、搬送ローラー４７には、プーリー４８により左向きの力がかかっている。このため、軸受部材５０には、搬送ローラー４１、４４により右向きの力がかかり、搬送ローラー４７により左向きの力がかかるので、軸受部材５０の左部に搬送ローラー４１、４４からかかる右向きの力と、軸受部材５０の右部に搬送ローラー４７からかかる左向きの力と、が弱め合う。なお、搬送ローラー３８には、水平方向の力はほとんどかかっていない。
【００３９】
本実施形態では、搬送ローラー４１から軸受部材５０にかかる水平方向（右向き）の小さい力は、搬送ローラー４７から軸受部材５０にかかる水平方向（左向き）の小さい力と釣り合っている。一方、搬送ローラー４４から軸受部材５０にかかる水平方向（右向き）の力は、搬送ローラー４７では弱めることができない。このため、内側搬送ガイド部材６０の右端部には、軸受部材５０に当接して、搬送ローラー４４から軸受部材５０にかかる水平方向（右向き）の力を受ける支持面６０ａを有する支持部６０ｂが設けられている。なお、支持面６０ａは、内側搬送ガイド部材６０の搬送面に対して４５度以上の角度で交差することが好ましく、８０度以上の角度（略垂直）で交差することがより好ましい。
【００４０】
図９に示すように、例えば搬送ローラー３８の回転軸３８ａの一方端部の軸心Ｌ１は、原稿幅方向から見て、他方端部の軸心Ｌ２から、プーリー３９の搬送ローラー３８に対する押圧方向に移動した位置に配置されていてもよい。言い換えると、搬送ローラー３８の回転軸３８ａの一方端部の軸心Ｌ１は、他方端部の軸心Ｌ２から原稿幅方向に移動した位置Ｐを、プーリー３９の搬送ローラー３８に対する押圧方向に移動した位置に配置されていてもよい。この場合、図１０に示すように、プーリー３９が搬送ローラー３８を押圧することにより最も撓みやすい回転軸３８ａの中央が撓むことによって、原稿幅方向（図１０の右側）から見て、他方端部側のローラー体３８ｂが一方端部側のローラー体３８ｂに重なる。このため、２つのローラー体３８ｂが内側搬送ガイド部材６０の搬送面に対して略平行に配置される。なお、このことは、搬送ローラー３８だけでなく、搬送ローラー４１、４４、４７についても同様である。
【００４１】
本実施形態では、上記のように、搬送ローラー３８、４１を下向きに押圧するプーリー３９、４２と、搬送ローラー４４、４７を上向きに押圧するプーリー４５、４８と、を設ける。これにより、軸受部材５０には、プーリー３９、４２から搬送ローラー３８、４１を介して下向きの力が加わり、プーリー４５、４８から搬送ローラー４４、４７を介して上向きの力が加わる。そのため、搬送ローラー３８、４１、４４、４７を介して軸受部材５０にかかる力の上下方向の合力を小さくすることができるので、軸受部材５０から内側搬送ガイド部材６０の搬送面にかかる力を小さくすることができる。このため、搬送面が撓むのを抑制することができるので、原稿搬送性能が低下するのを抑制することができる。
【００４２】
また、複数の搬送ローラー３８、４１、４４、４７の回転軸３８ａ、４１ａ、４４ａ、４７ａの一方端部は、原稿通過領域の原稿幅方向の内側に配置される軸受部材５０によって支持される。これにより、搬送ローラー３８、４１、４４、４７の回転軸３８ａ、４１ａ、４４ａ、４７ａを原稿通過領域よりも短く形成することができるとともに、原稿搬送装置２７を軽量化することができる。
【００４３】
また、上記のように、内側搬送ガイド部材６０には、軸受部材５０に当接して、プーリー３９、４２、４５、４８から搬送ローラー３８、４１、４４、４７を介して軸受部材５０にかかる水平方向の力を受ける支持面６０ａを有する支持部６０ｂが設けられており、支持面６０ａは、搬送面に対して交差するように配置されている。これにより、搬送ローラー３８、４１、４４、４７を介して軸受部材５０にかかる水平方向の力によって搬送面が撓むのを抑制することができる。
【００４４】
また、上記のように、回転軸３８ａ、４１ａ、４４ａ、４７ａの一方端部の軸心Ｌ１を、原稿幅方向から見て、他方端部の軸心Ｌ２から、プーリー３９、４２、４５、４８の搬送ローラー３８、４１、４４、４７に対する押圧方向に移動した位置に配置してもよい。この場合、プーリー３９、４２、４５、４８が搬送ローラー３８、４１、４４、４７を押圧することによって、原稿幅方向から見て、他方端部側のローラー体３８ｂ、４１ｂ、４４ｂ、４７ｂが一方端部側のローラー体３８ｂ、４１ｂ、４４ｂ、４７ｂに重なるので、２つのローラー体３８ｂ、４１ｂ、４４ｂ、４７ｂを搬送面に対して略平行に配置することができる。このため、原稿搬送性能が低下するのをより抑制することができる。
【００４５】
なお、今回開示された実施形態は、すべての点で例示であって制限的なものではない。本発明の範囲は、上記した実施形態の説明ではなく特許請求の範囲によって示され、さらに特許請求の範囲と均等の意味および範囲内でのすべての変更が含まれる。
【００４６】
例えば、上記実施形態では、搬送ローラー３８、４１、４４、４７から軸受部材５０にかかる力の合力がゼロにならない例について示したが、本発明はこれに限らない。プーリー３９、４２、４５、４８の押圧方向や押圧力を最適化すれば、軸受部材５０にかかる力の水平方向の合力も上下方向の合力も略ゼロにすることが可能である。
【００４７】
また、上記実施形態では、給紙ローラー３４の回転軸３４ａを原稿通過領域よりも原稿幅方向に長く形成し、その一方端部および他方端部を軸受部材５２、５３により軸支した例について示したが、本発明はこれに限らない。例えば、給紙ローラー３４と分離板３５とを上下反転させるとともに、給紙ローラー３４を内側搬送ガイド部材６０の搬送面の内周側に配置する。そして、給紙ローラー３４の回転軸３４ａを原稿通過領域の原稿幅方向よりも短く形成し、その他方端部を軸受部材５０により軸支してもよい。このように構成すれば、給紙ローラー３４も軽量化することができるので、原稿搬送装置２７をより軽量化することができる。
【００４８】
また、上記実施形態では、軸受部材５０を内側搬送ガイド部材６０の内周面に配置した例について示したが、本発明はこれに限らず、軸受部材５０を、内側搬送ガイド部材６０に接触しないように構成してもよい。
【００４９】
また、上記実施形態では、軸受部材５０を１つだけ設けた例について示したが、本発明はこれに限らず、第１プーリーにより下向きに押圧される搬送ローラーと第２プーリーにより上向きに押圧される搬送ローラーとの搬送ローラー対毎に軸受部材を設けることによって、軸受部材を複数個設けてもよい。例えば図１１に示した本発明の変形例のように、搬送ローラー３８と搬送ローラー４７とを軸支する軸受部材５０ａと、搬送ローラー４１と搬送ローラー４４とを軸支する軸受部材５０ｂと、を別々に設けてもよい。
【符号の説明】
【００５０】
２７  原稿搬送装置
３８、４１、４４、４７  搬送ローラー
３８ａ、４１ａ、４４ａ、４７ａ  回転軸
３８ｂ、４１ｂ、４４ｂ、４７ｂ  ローラー体
３９、４２  プーリー（第１プーリー）
４５、４８  プーリー（第２プーリー）
５０、５０ａ、５０ｂ  軸受部材
６０  内側搬送ガイド部材（搬送ガイド部材）
６０ａ  支持面
６０ｂ  支持部
６１  外側搬送ガイド部材（搬送ガイド部材）
１００  画像形成装置
Ｌ１、Ｌ２  軸心
【図１】
2016003130.tif 000003
【図２】
2016003130.tif 000004
【図３】
2016003130.tif 000005
【図４】
2016003130.tif 000006
【図５】
2016003130.tif 000007
【図６】
2016003130.tif 000008
【図７】
2016003130.tif 000009
【図８】
2016003130.tif 000010
【図９】
2016003130.tif 000011
【図１０】
2016003130.tif 000012
【図１１】
2016003130.tif 000013